(57)【特許請求の範囲】
【請求項１】
レーザ光を発光して記録マークを形成し光ディスクに情報を記録する光ピックアップと、
前記光ピックアップを発光させるレーザ駆動部と、
前記記録マークを形成する発光パルス群を生成する記録パターン生成部と、
前記発光パルス群の先頭に位置するトップパルスのパルス幅を選択後に前記トップパルスの立ち上がり部を選択し、前記立ち上がり部を時間軸方向に変化させながら前記トップパルスのパルス幅を決定する制御部と、を備え、
前記制御部は、前記記録マークを形成するために必要な発光量を確保できるパルス幅である発光限界パルス幅を記憶し、決定した前記トップパルスのパルス幅が前記発光限界パルス幅未満となる場合には前記トップパルスのパルス幅を前記発光限界パルス幅以上の所定のパルス幅に変更することを特徴とする光ディスク装置。
【請求項２】
レーザ光を発光して記録マークを形成し光ディスクに情報を記録する光ピックアップと、
前記光ピックアップを発光させるレーザ駆動部と、
前記記録マークを形成する発光パルス群を生成する記録パターン生成部と、
前記発光パルス群の最後尾に位置し前記光ピックアップをピークパワーで発光させるラストパルスのパルス幅を選択後に前記ラストパルスの立ち下がり部を選択し、前記立ち下がり部を時間軸方向に変化させながら前記ラストパルスのパルス幅を決定する制御部と、を備え、
前記制御部は、前記記録マークを形成するために必要な発光量を確保できるパルス幅である発光限界パルス幅を記憶し、決定した前記ラストパルスのパルス幅が前記発光限界パルス幅未満となる場合には前記ラストパルスのパルス幅を前記発光限界パルス幅以上の所定のパルス幅に変更することを特徴とする光ディスク装置。
【請求項３】
前記所定のパルス幅は、前記発光限界パルス幅であることを特徴とする請求項１または２記載の光ディスク装置。
【発明の詳細な説明】
【技術分野】
【０００１】
本発明は、光ディスクに情報の記録を行う際の光ディスク装置の記録方法および光ディスク装置に関するものである。
【背景技術】
【０００２】
光ディスク装置は、各方面への応用と高性能化への開発が活発に行われている。特に最近では、ブルーレイ用ディスクなど高密度記録対応の光ディスクが用いられるようになってきている。
【０００３】
ここで、光ディスク装置の光ピックアップ制御部の構成について、図１１を用いて説明する。
【０００４】
図１１は、従来の光ディスク装置におけるライトストラテジ制御系のブロック図である。図１１において、１は光ディスク、２はピックアップモジュール、３はスピンドルモータ、４は光ピックアップ、５はキャリッジ、６はフィード部、７はフィードモータ、８はアナログ信号処理部、９はサーボ処理部、１０はモータ駆動部、１１はデジタル信号処理部、１１ａは記録パターン生成部、１２はレーザ駆動部、１３はコントローラである。
【０００５】
ピックアップモジュール２は、光ディスク１を回転させるスピンドルモータ３と、光ディスク１の情報信号を再生もしくは記録の少なくとも一方を行う光ピックアップ４と、光ピックアップ４が搭載されたキャリッジ５を光ディスク１の半径方向に移動させるためのフィード部６とによって構成されたものである。アナログ信号処理部８はピックアップモジュール２の内部に設けられたキャリッジ５中の光ピックアップ４内部の光センサ（図示せず）からの信号出力を基に、フォーカスエラー信号とトラッキングエラー信号とを生成し、サーボ処理部９に出力する。
【０００６】
サーボ処理部９は対物レンズとキャリッジ５との相対的な位置関係を示すレンズ位置信号を生成し、モータ駆動部１０に出力する。また、サーボ処理部９はＯＮ／ＯＦＦ回路、演算回路、フィルタ回路、増幅回路等によって構成され、光ビームスポットが光ディスク１の情報トラックに追従するようにフォーカスエラー信号およびトラッキングエラー信号を基にモータ駆動部１０を介して対物レンズをフォーカス／トラッキング制御し、対物レンズが概略中立位置を保持するようにフィード制御を行う。フィード部６はフィードモータ７、ギヤ（図示せず）、スクリューシャフト（図示せず）等から構成され、フィードモータ７を回転させることによってキャリッジ５が移動し、その際フィードモータ７よりフィードモータパルスが周期的に出力されるようになっている。
【０００７】
記録パターン生成部１１ａは、光ディスク１の記録面上に所望の長さの記録マークが形成できるように、記録パターン生成部１１ａで発光パターンを生成する。
【０００８】
この分野に関する先行技術の一例として、（特許文献１）等がある。
【特許文献１】特開２００３−１６８２１５号公報
【発明の開示】
【発明が解決しようとする課題】
【０００９】
図１２は、従来の光ディスク装置における発光パターンと記録マークの関係を示す図であり、発光パターンのトップパルスのパルス幅を変化させた様子とそれに基づき形成される記録マークの長さを示したものである。図１２（ａ）は長さ５Ｔの記録マークが形成される場合の発光パターンを示したものであり、図１２（ｂ）は長さ５Ｔの記録マークを形成しようとして長さ４Ｔの記録マークが形成される場合の発光パターンを示したものであり、図１２（ｃ）は光ピックアップで記録マークを形成するために必要な発光量を最低限確保できるトップパルスの発光限界パルス幅を示したものである。図１２において、横軸は時間、縦軸はレーザパワーであり、１０１はトップパルス、１０１ａは立ち上がり部、１０１ｂ，１０１ｄはパルス幅、１０２は発光限界パルス幅、１０３はパルス群、１０４ａ，１０４ｃは記録マークである。
【００１０】
光ディスク１に信号を記録する際には、その記録に先立って、通常記録性能を上げるために、ライトストラテジ調整と呼ばれる発光パターンの最適化処理が行われる。ライトストラテジ調整は、光ディスク１の記録面上に所望の長さの記録マークが形成できるように、発光パターンにおける発光パルスの長さを調整するものである。従来のライトストラテジ調整では、発光パターンのトップパルス１０１における立ち上がり部１０１ａの立ち上がりタイミングを時間軸方向に変化させることによって、記録マーク全体の記録長さを調整する。
【００１１】
しかしながら、上記従来の構成では、トップパルス１０１の立ち上がり部１０１ａの立ち上がりタイミングが時間軸方向に変化したことによって、トップパルス１０１のパルス幅が、光ピックアップ４で記録マークを形成するために必要な発光量を最低限確保できる発光限界パルス幅より短くなると、所望の長さの記録マークを形成するために必要な発光量が得られなくなる場合があった。
【００１２】
例えば、図１２（ａ）は、長さ５Ｔの記録マークが正しく形成される場合、すなわち光ディスク１の再生時に長さ５Ｔの記録マークとして認識できる場合を示すものである。図１２（ａ）は、トップパルス１０１のパルス幅１０１ｂがトップパルス１０１の発光限界パルス幅１０２以上であるため、長さ５Ｔの記録マークが正しく形成することができる。
【００１３】
ところが、図１２（ｂ）のように、トップパルス１０１のパルス幅１０１ｄが光ピックアップ４で記録マークを形成するために必要な発光量を最低限確保できる発光限界パルス幅１０２より短くなるような場合には、トップパルスによる発光が充分に行われず、その結果として光ピックアップ４は長さ４Ｔの記録マークを形成する場合に近い発光になってしまう。そのため、長さ５Ｔの記録マークを正しく形成することができなくなり、長さ４Ｔの記録マークとの判別が困難になる。特に、長さ２Ｔや３Ｔの短い記録マークを多用するブルーレイ用ディスクなどの高密度記録対応光ディスクでは、長さ２Ｔの記録マークと長さ３Ｔの記録マークとの間でその影響が顕著となる。
【００１４】
また、トップパルス以外に、ラストパルス、クーリングパルスにおいても同様の現象が発生する。
【００１５】
本発明は、上記課題を解決するためになされたものであり、長さ２Ｔや３Ｔの短い記録マークを多用するブルーレイ用ディスクなどの高密度記録対応光ディスクに記録する場合であっても、発光パターンにおけるトップパルス幅またはラストパルス幅またはクーリングパルス幅の少なくとも１つが発光限界パルス幅未満になることを回避することができ、所望の長さの記録マークを正しく形成することが可能な光ディスク装置の記録方法および光ディスク装置を提供することを目的とする。
【課題を解決するための手段】
【００１６】
本発明は、上記課題を解決するためになされたものであり、レーザ光を発光して記録マークを形成し光ディスクに情報を記録する光ピックアップと、光ピックアップを発光させるレーザ駆動部と、記録マークを形成する発光パルス群を生成する記録パターン生成部と、発光パルス群の先頭に位置するトップパルスのパルス幅を選択後にトップパルスの立ち上がり部を選択し、その立ち上がり部を時間軸方向に変化させながらトップパルスのパルス幅を決定する制御部と、を備え、制御部は、記録マークを形成するために必要な発光量を確保できるパルス幅である発光限界パルス幅を記憶し、決定したトップパルスのパルス幅が発光限界パルス幅未満となる場合にはトップパルスのパルス幅を発光限界パルス幅以上の所定のパルス幅に変更することを特徴とするものである。
【００１７】
また、レーザ光を発光して記録マークを形成し光ディスクに情報を記録する光ピックアップと、光ピックアップを発光させるレーザ駆動部と、記録マークを形成する発光パルス群を生成する記録パターン生成部と、発光パルス群の最後尾に位置し光ピックアップをピークパワーで発光させるラストパルスのパルス幅を選択後にラストパルスの立ち下がり部を選択し、その立ち下がり部を時間軸方向に変化させながらラストパルスのパルス幅を決定する制御部と、を備え、制御部は、記録マークを形成するために必要な発光量を確保できるパルス幅である発光限界パルス幅を記憶し、決定した前記ラストパルスのパルス幅が発光限界パルス幅未満となる場合にはラストパルスのパルス幅を発光限界パルス幅以上の所定のパルス幅に変更することを特徴とするものである。
【発明の効果】
【００１９】
本発明は上記構成により、１つの記録マークを形成するための発光パルス群のうち、トップパルスまたはラストパルスまたはクーリングパルスのパルス幅を決定するライトストラテジの最適化処理において、決定されたトップパルスまたはラストパルスの少なくとも１つのパルス幅が光ピックアップで記録マークを形成するために必要な発光量を最低限確保できる発光限界パルス幅未満であるとき、トップパルスまたはラストパルスが所定のパルス幅に変更されることによって、トップパルス幅またはラストパルス幅の少なくとも１つが光ピックアップで記録マークを形成するために必要な発光量を最低限確保できる発光限界パルス幅未満になることを防止することができる。
【００２０】
そのため、長さ２Ｔや３Ｔの短い記録マークを多用するブルーレイ用ディスクなどの高密度記録対応光ディスクに記録する場合であっても、発光パターンにおけるトップパルス幅またはラストパルス幅またはクーリングパルス幅の少なくとも１つが光ピックアップで記録マークを形成するために必要な発光量を最低限確保できる発光限界パルス幅未満になることを回避することができ、所望の長さの記録マークを正しく形成することが可能な光ディスク装置の記録方法および光ディスク装置を実現することができる。
【発明を実施するための最良の形態】
【００２１】
請求項１記載の発明は、レーザ光を発光して記録マークを形成し光ディスクに情報を記録する光ピックアップと、光ピックアップを発光させるレーザ駆動部と、記録マークを形成する発光パルス群を生成する記録パターン生成部と、発光パルス群の先頭に位置するトップパルスのパルス幅を選択後にトップパルスの立ち上がり部を選択し、その立ち上がり部を時間軸方向に変化させながらトップパルスのパルス幅を決定する制御部と、を備え、制御部は、記録マークを形成するために必要な発光量を確保できるパルス幅である発光限界パルス幅を記憶し、決定したトップパルスのパルス幅が発光限界パルス幅未満となる場合にはトップパルスのパルス幅を発光限界パルス幅以上の所定のパルス幅に変更することを特徴とするものである。これにより、トップパルスのパルス幅が光ピックアップで記録マークを形成するために必要な発光量が最低限確保できる発光限界パルス幅未満にならないので、長さ２Ｔや３Ｔの短い記録マークを多用するブルーレイ用ディスクなどの高密度記録対応光ディスクに記録する場合であっても、発光パターンにおけるトップパルスのパルス幅が光ピックアップで記録マークを形成するために必要な発光量を最低限確保できる発光限界パルス幅未満になることを回避することができ、所望の長さの記録マークを正しく形成することが可能な光ディスク装置を実現することができる。
【００２２】
請求項２記載の発明は、レーザ光を発光して記録マークを形成しレーザ光により光ディスクに情報を記録する光ピックアップと、光ピックアップを発光させるレーザ駆動部と、記録マークを形成する発光パルス群を生成する記録パターン生成部と、発光パルス群の最後尾に位置し光ピックアップをピークパワーで発光させるラストパルスのパルス幅を選択後にラストパルスの立ち下がり部を選択し、その立ち下がり部を時間軸方向に変化させながらラストパルスのパルス幅を決定する制御部と、を備え、制御部は、記録マークを形成するために必要な発光量を確保できるパルス幅である発光限界パルス幅を記憶し、決定した前記ラストパルスのパルス幅が発光限界パルス幅未満となる場合にはラストパルスのパルス幅を発光限界パルス幅以上の所定のパルス幅に変更することを特徴とするものである。これにより、ラストパルスのパルス幅が光ピックアップで記録マークを形成するために必要な発光量を最低限確保できる発光限界パルス幅未満にならないので、長さ２Ｔや３Ｔの短い記録マークを多用するブルーレイ用ディスクなどの高密度記録対応光ディスクに記録する場合であっても、発光パターンにおけるラストパルスのパルス幅が光ピックアップで記録マークを形成するために必要な発光量を最低限確保できる発光限界パルス幅未満になることを回避することができ、所望の長さの記録マークを正しく形成することが可能な光ディスク装置を実現することができる。
【００２４】
請求項３記載の発明は、所定のパルス幅が、発光限界パルス幅であることを特徴とするものである。これにより、所望の長さの記録マークを確実に正しく形成することができる。
【００３１】
（実施の形態１）
以下、本発明の実施の形態１について，図面を参照しながら説明する。
【００３２】
ここで、光ディスク装置の光ピックアップ制御部の構成について、図１を用いて説明する。
【００３３】
図１は、本発明の実施の形態１における光ディスク装置のライトストラテジ制御系のブロック図である。図１において、１は光ディスク、２はピックアップモジュール、３はスピンドルモータ、４は光ピックアップ、５はキャリッジ、６はフィード部、７はフィードモータ、８はアナログ信号処理部、９はサーボ処理部、１０はモータ駆動部、１１はデジタル信号処理部、１１ａは記録パターン生成部、１２はレーザ駆動部、１３はコントローラである。
【００３４】
ピックアップモジュール２は、光ディスク１を回転させるスピンドルモータ３と、光ディスク１の情報信号を再生もしくは記録の少なくとも一方を行う光ピックアップ４と、光ピックアップ４が搭載されたキャリッジ５を光ディスクの半径方向に移動させるためのフィード部６とによって構成されたものである。アナログ信号処理部８はピックアップモジュール２の内部に設けられたキャリッジ５中の光ピックアップ４内部の光センサ（図示せず）からの信号出力を基に、フォーカスエラー信号とトラッキングエラー信号とを生成し、サーボ処理部９に出力する。
【００３５】
サーボ処理部９は対物レンズとキャリッジ５との相対的な位置関係を示すレンズ位置信号を生成し、モータ駆動部１０に出力する。また、サーボ処理部９はＯＮ／ＯＦＦ回路、演算回路、フィルタ回路、増幅回路等によって構成され、光ビームスポットが光ディスク１の情報トラックに追従するようにフォーカスエラー信号およびトラッキングエラー信号を基にモータ駆動部１０を介して対物レンズをフォーカス／トラッキング制御し、対物レンズが概略中立位置を保持するようにフィード制御を行う。フィード部６はフィードモータ７、ギヤ（図示せず）、スクリューシャフト（図示せず）等から構成され、フィードモータ７を回転させることによってキャリッジ５が移動し、その際フィードモータ７よりフィードモータパルスが周期的に出力されるようになっている。
【００３６】
記録パターン生成部１１ａは、光ディスク１の記録面上に所望の長さの記録マークが形成できるように、記録パターン生成部１１ａで発光パターンを生成する。
【００３７】
コントローラ１３は本発明の制御部を構成し、アナログ信号処理部８、サーボ処理部９、モータ駆動部１０、デジタル信号処理部１１、レーザ駆動部１２の各部から送られる信号が入力され、これらの信号の演算処理等を行い、この演算処理の結果（信号）を各部に送出し、各部にて駆動、処理を実行させ、各部の制御を行うものである。なお、詳細な説明や図示は省略するが、コントローラ１３は、少なくとも、演算機能を備えたＣＰＵ、ＭＰＵ等の演算処理装置や、ＲＯＭ、ＲＡＭ等の記憶装置を備える。
【００３８】
ここで、本発明における光ディスク装置の信号の流れについて説明する。
【００３９】
本発明の光ディスク装置の記録時における信号の流れは、コントローラ１３の記録指令に基づき、デジタル信号処理部１１、レーザ駆動部１２を介して光ピックアップ４を動作させ、光ディスク１に情報の記録を行う。また、本発明の光ディスク装置の再生時における信号の流れは、光ディスク１に記録された情報を光ピックアップ４で読み取り、アナログ信号処理部８、デジタル信号処理部１１を介して、コントローラ１３が情報の入手を行う。そのため、記録と再生を繰り返し行うことでライトストラテジの最適化処理を行う本発明の光ディスク装置では、上述の信号の流れが繰り返し行われることでライトストラテジの最適化処理が行われる。
【００４０】
次に、本発明の記録マーク形成方法として、記録マークの長さが５Ｔでトップパルスのパルス幅を変化させる場合の動作について説明する。
【００４１】
図２は、本発明の実施の形態１における光ディスク装置のライトストラテジの最適化処理を示すフローチャートである。図３は、本発明の実施の形態１における光ディスク装置の発光パターンと記録マークの関係を示す図であり、発光パターンのトップパルスのパルス幅を変化させた様子とそれに基づき形成される記録マークの長さを示したものである。図３（ａ）、図３（ｂ）は長さ５Ｔの記録マークを形成する場合の発光パターンを示したものであり、図３（ｃ）は長さ５Ｔの記録マークを形成しようとして長さ４Ｔの記録マークが形成される場合の発光パターンを示したものであり、図３（ｄ）は光ピックアップで記録マークを形成するために必要な発光量を最低限確保できるトップパルスの発光限界パルス幅を示したものである。図４は、本発明の実施の形態１におけるトップパルスエッジ移動時のエッジ移動順番とエッジ位置の関係を示す図である。図３において、横軸は時間、縦軸はレーザパワーであり、５１はトップパルス、５１ａは立ち上がり部、５１ｂ，５１ｃ，５１ｄはパルス幅、５２は発光限界パルス幅、５３は発光パルス群、５４ａ，５４ｂ，５４ｃは記録マークである。
【００４２】
光ディスク１が光ディスク装置に装着されると、スピンドルモータ３を回転させ、光ピックアップ４のレーザを発光させ、フォーカスサーボ、トラッキングサーボをかけ、ライトストラテジの最適化処理を開始する（Ｓ１）。
【００４３】
本発明のライトストラテジの最適化処理では、まず、コントローラ１３が、記録パターン生成部１１ａで生成する１つの記録マークを形成するための発光パルス群５３のうち、その発光パルス群５３の先頭に位置するトップパルス５１を選択する。そして、選択されたトップパルス５１から更にトップパルス５１の立ち上がり部５１ａを選択する（Ｓ２）。
【００４４】
その後、コントローラ１３はトップパルス５１の立ち上がり部５１ａを時間軸方向に変化させるエッジ移動量をコントローラ１３に備えられたＲＯＭから読み込み設定する（Ｓ３）。ここで、読み込まれるエッジ移動量は、図４に示すものである。左側の列はエッジ移動順番を示しており、本実施の形態１においては１、２、３、４、５の順番にエッジ移動が行われるが、これに限定されるものではない。また、右側の列はエッジ位置を示したものであり、本実施の形態１においては基準位置ａを中心にその前後にそれぞれ−２ｂ、−ｂ、＋ｂ、＋２ｂ移動するものとしたが、これに限定されるものではない。
【００４５】
次に、コントローラ１３は読み込まれたエッジ移動量に基づきトップパルス５１の立ち上がり部５１ａが移動して形成されるパルスのパルス幅を決定する（Ｓ４）。そして、コントローラ１３は決定されたトップパルスのパルス幅が光ピックアップで記録マークを形成するために必要な発光量を確保できる発光限界パルス幅未満であるかの確認を行う（Ｓ５）。このとき、トップパルス５１のパルス幅が、図３（ａ）、図３（ｂ）に示すパルス幅５１ｂやパルス幅５１ｃのように、図３（ｄ）に示す光ピックアップで記録マークを形成するために必要な発光量を確保できる発光限界パルス幅５２未満でない場合には、そのままステップ７（Ｓ７）へ進む。また、トップパルス５１のパルス幅が、図３（ｃ）に示すパルス幅５１ｄのように図３（ｄ）に示す光ピックアップで記録マークを形成するために必要な発光量を確保できる発光限界パルス幅５２未満の場合には、ステップ６（Ｓ６）へ進み、トップパルスのパルス幅を所定のパルス幅に変更する（Ｓ６）。例えば、本実施の形態１においては、パルス幅が図３（ｃ）に示すパルス幅５１ｄのトップパルスである場合には、パルス幅が図３（ｄ）に示す発光限界パルス幅５２のトップパルスに変更する。このようにすることで、トップパルス５１を光ピックアップで記録マークを形成するために必要な発光量を確保できる発光限界パルス幅５２以上にすることができ、所望の長さの記録マークを確実に正しく形成することができる。なお、変更されるトップパルスのパルス幅は発光限界パルス幅５２に限定されるものではない。
【００４６】
次に、コントローラ１３は、ステップ５（Ｓ５）、ステップ６（Ｓ６）で決定したトップパルスを含む発光パルス群５３を光ピックアップ４の発光パターンとしてデジタル信号処理部１１に設定し、試し書き記録を開始する（Ｓ７）。試し書き記録では、レーザ駆動部１２がデジタル信号処理部１１に設定された発光パターンを基に光ピックアップ４を駆動する。そして、光ピックアップ４は、光ディスク１上の試し書き領域にライトストラテジの最適化処理に必要な記録を行う。
【００４７】
所定のセクタまでの記録が終了すると、デジタル信号処理部１１は記録を停止する。そして、デジタル信号処理部１１は、試し書き記録が行われた光ディスク１上の複数のセクタに対して、光ピックアップ４、アナログ信号処理部８を介してＲＦ信号の測定をして、記録品質の確認を行う（Ｓ８）。コントローラ１３は、デジタル信号処理部１１の測定結果に基づき、最適発光パターンの決定を行う（Ｓ９）。
【００４８】
これら一連のライトストラテジの最適化処理が終了すると、記録待機状態となる（Ｓ１０）。
【００４９】
なお、図３においては記録マークの長さが５Ｔの場合の動作について説明したが、用いる光ディスクがＤＶＤの場合には記録マーク長さが３Ｔ〜１１Ｔ，１４Ｔの全てのトップパルス５１に対して上述の動作を行うことが好ましい。また、用いる光ディスクがブルーレイディスクの場合には、記録マーク長さが２Ｔ〜８Ｔ，９Ｔの全てのトップパルス５１に対して上述の動作を行うことが好ましい。
【００５０】
以上の内容により、１つの記録マークを形成するための発光パルス群５３のうち、発光パルス群５３の先頭に位置するトップパルス５１のパルス幅を決定するライトストラテジの最適化処理において、決定されたトップパルス５１のパルス幅が、光ピックアップ４で記録マークを形成するために必要な発光量を最低限確保できる発光限界パルス幅５２未満であるとき、トップパルス５１のパルス幅が所定のパルス幅に変更されることによって、トップパルスのパルス幅が光ピックアップ４で記録マークを形成するために必要な発光量を最低限確保できる発光限界パルス幅未満になることを防止することができる。
【００５１】
そのため、長さ２Ｔや３Ｔの短い記録マークを多用するブルーレイ用ディスクなどの高密度記録対応光ディスク１に記録する場合であっても、発光パターンにおけるトップパルス５１のパルス幅５１ｂが光ピックアップ４で記録マークを形成するために必要な発光量を最低限確保できる発光限界パルス幅５２未満になることを回避することができ、所望の長さの記録マークを正しく形成することが可能な光ディスク装置の記録方法および光ディスク装置を実現することができる。
【００５２】
なお、本実施の形態１においては、記録マークの長さが５Ｔの場合について説明したが、記録マークの長さは５Ｔの場合に限定されるものではなく、４Ｔや６Ｔの場合でも良い。光ピックアップ４がブルーレイ用ディスクなどの高密度記録対応光ディスクに対応するものであり、ブルーレイ用ディスクなどの高密度記録対応光ディスクに用いられる長さ２Ｔや３Ｔの短い記録マークを形成するための発光パターンに適用することで、特に顕著な効果を得ることができる。
【００５３】
（実施の形態２）
以下、本発明の実施の形態２について，図面を参照しながら説明する。
【００５４】
実施の形態２では、本発明の記録マーク形成方法として、記録マークの長さが５Ｔでラストパルスのパルス幅を変化させる場合の動作について説明する。本実施の形態２における光ディスク装置全体の構成は図１に示す実施の形態１と同様である。
【００５５】
図５は、本発明の実施の形態２における光ディスク装置のライトストラテジの最適化処理を示すフローチャートである。図６は、本発明の実施の形態２における光ディスク装置の発光パターンと記録マークの関係を示す図であり、発光パターンのラストパルスのパルス幅を変化させた様子とそれに基づき形成される記録マークの長さを示したものである。図６（ａ）、図６（ｂ）は長さ５Ｔの記録マークを形成する場合の発光パターンを示したものであり、図６（ｃ）は長さ５Ｔの記録マークを形成しようとして長さ４Ｔの記録マークが形成される場合の発光パターンを示したものであり、図６（ｄ）は光ピックアップで記録マークを形成するために必要な発光量を最低限確保できるラストパルスの発光限界パルス幅を示したものである。図７は、本発明の実施の形態２におけるラストパルスエッジ移動時のエッジ移動順番とエッジ位置の関係を示す図である。図６において、横軸は時間、縦軸はレーザパワーであり、６１はラストパルス、６１ａは立ち下がり部、６１ｂ，６１ｃ，６１ｄはパルス幅、６２は発光限界パルス幅、６３は発光パルス群、６４ａ，６４ｂ，６４ｃは記録マークである。
【００５６】
光ディスク１が光ディスク装置に装着されると、スピンドルモータ３を回転させ、光ピックアップ４のレーザを発光させ、フォーカスサーボ、トラッキングサーボをかけ、ライトストラテジの最適化処理を開始する（Ｓ１１）。ライトストラテジに用いられる１つの記録マークを形成するための発光パルス群は、少なくともピークパワーで発光する第１の発光レベルと、ボトムパワーで発光する第２の発光レベルで構成されている。
【００５７】
本発明のライトストラテジの最適化処理では、まず、コントローラ１３が、第１の発光レベルで発光する発光パルス群のうち、最後尾に位置するラストパルス６１を選択する。そして、選択されたラストパルス６１から更にラストパルス６１の立ち下がり部６１ａを選択する（Ｓ１２）。
【００５８】
その後、コントローラ１３はラストパルス６１の立ち下がり部６１ａを時間軸方向に変化させるエッジ移動量をコントローラ１３に備えられたＲＯＭから読み込み設定する（Ｓ１３）。ここで、読み込まれるエッジ移動量は、図７に示すものである。左側の列はエッジ移動順番を示しており、本実施の形態２においては１、２、３、４、５の順番にエッジ移動が行われるが、これに限定されるものではない。また、右側の列はエッジ位置を示したものであり、本実施の形態１においては基準位置ｃを中心にその前後にそれぞれ−２ｄ、−ｄ、＋ｄ、＋２ｄ移動するものとしたが、これに限定されるものではない。
【００５９】
次に、コントローラ１３は読み込まれたエッジ移動量に基づきラストパルス６１の立ち下がり部６１ａが移動して形成されるパルスのパルス幅を決定する（Ｓ１４）。そして、コントローラ１３は決定されたラストパルス６１のパルス幅が光ピックアップで記録マークを形成するために必要な発光量を確保できる発光限界パルス幅未満であるかの確認を行う（Ｓ１５）。このとき、ラストパルス６１のパルス幅が、図６（ａ）、図６（ｂ）に示すパルス幅６１ｂやパルス幅６１ｃのように、図６（ｄ）に示す光ピックアップで記録マークを形成するために必要な発光量を確保できる発光限界パルス幅６２未満でない場合には、そのままステップ１７（Ｓ１７）へ進む。また、ラストパルス６１のパルス幅が、図６（ｃ）に示すパルス幅６１ｄのように図６（ｄ）に示す光ピックアップで記録マークを形成するために必要な発光量を確保できる発光限界パルス幅６２未満の場合には、ステップ１６（Ｓ１６）へ進み、ラストパルス６１のパルス幅を所定のパルス幅に変更する（Ｓ１６）。例えば、本実施の形態２においては、パルス幅が図６（ｃ）に示すパルス幅６１ｄのラストパルス６１である場合には、パルス幅が図６（ｄ）に示す発光限界パルス幅６２のラストパルス６１に変更する。このようにすることで、ラストパルス６１を光ピックアップで記録マークを形成するために必要な発光量を確保できる発光限界パルス幅６２以上にすることができ、所望の長さの記録マークを確実に正しく形成することができる。なお、変更されるラストパルス６１のパルス幅は発光限界パルス幅６２に限定されるものではない。
【００６０】
次に、コントローラ１３は、ステップ１５（Ｓ１５）、ステップ１６（Ｓ１６）で決定したラストパルス６１を含む発光パルス群６３を光ピックアップ４の発光パターンとしてデジタル信号処理部１１に設定し、試し書き記録を開始する（Ｓ１７）。試し書き記録では、レーザ駆動部１２がデジタル信号処理部１１に設定された発光パターンを基に光ピックアップ４を駆動する。そして、光ピックアップ４は、光ディスク１上の試し書き領域にライトストラテジの最適化処理に必要な記録を行う。
【００６１】
所定のセクタまでの記録が終了すると、デジタル信号処理部１１は記録を停止する。そして、デジタル信号処理部１１は、試し書き記録が行われた光ディスク１上の複数のセクタに対して、光ピックアップ４、アナログ信号処理部８を介してＲＦ信号の測定をして、記録品質の確認を行う（Ｓ１８）。コントローラ１３は、デジタル信号処理部１１の測定結果に基づき、最適発光パターンの決定を行う（Ｓ１９）。
【００６２】
これら一連のライトストラテジの最適化処理が終了すると、記録待機状態となる（Ｓ２０）。
【００６３】
なお、図６においては記録マークの長さが５Ｔの場合の動作について説明したが、用いる光ディスクがＤＶＤの場合には記録マーク長さが３Ｔ〜１１Ｔ，１４Ｔの全てのトップパルス５１に対して上述の動作を行うことが好ましい。また、用いる光ディスクがブルーレイディスクの場合には、記録マーク長さが２Ｔ〜８Ｔ，９Ｔの全てのトップパルス５１に対して上述の動作を行うことが好ましい。
【００６４】
以上の内容により、１つの記録マークを形成するための発光パルス群６３が、少なくともピークパワーで発光する第１の発光レベルと、ボトムパワーで発光する第２の発光レベルで構成され、第１の発光レベルで発光する発光パルス群のうち、最後尾に位置するラストパルス６１のパルス幅を決定するライトストラテジの最適化処理において、決定されたラストパルス６１のパルス幅が、光ピックアップ４で記録マークを形成するために必要な発光量を最低限確保できる発光限界パルス幅未満であるとき、ラストパルス６１のパルス幅が所定のパルス幅に変更されることによって、ラストパルス６１のパルス幅が光ピックアップ４で記録マークを形成するために必要な発光量を最低限確保できる発光限界パルス幅６２未満になることを防止することができる。
【００６５】
そのため、長さ２Ｔや３Ｔの短い記録マークを多用するブルーレイ用ディスクなどの高密度記録対応光ディスク１に記録する場合であっても、発光パターンにおけるラストパルス６１のパルス幅が光ピックアップ４で記録マークを形成するために必要な発光量を最低限確保できる発光限界パルス幅６２未満になることを回避することができ、所望の長さの記録マークを正しく形成することが可能な光ディスク装置の記録方法および光ディスク装置を実現することができる。
【００６６】
なお、本実施の形態２においては、記録マークの長さが５Ｔの場合について説明したが、記録マークの長さは５Ｔの場合に限定されるものではなく、４Ｔや６Ｔの場合でも良い。光ピックアップ４がブルーレイ用ディスクなどの高密度記録対応光ディスク１に対応するものであり、ブルーレイ用ディスクなどの高密度記録対応光ディスクに用いられる長さ２Ｔや３Ｔの短い記録マークを形成するための発光パターンに適用することで、特に顕著な効果を得ることができる。
【００６７】
（実施の形態３）
以下、本発明の実施の形態３について，図面を参照しながら説明する。
【００６８】
実施の形態３では、本発明の記録マーク形成方法として、記録マークの長さが５Ｔでクーリングパルスの幅を変化させる場合の動作について説明する。本実施の形態３における光ディスク装置全体の構成は図１に示す実施の形態１と同様である。
【００６９】
図８は、本発明の実施の形態３における光ディスク装置のライトストラテジの最適化処理を示すフローチャートである。図９は、本発明の実施の形態３における光ディスク装置の発光パターンと記録マークの関係を示す図であり、発光パターンのクーリングパルスのパルス幅を変化させた様子とそれに基づき形成される記録マークの長さを示したものである。図９（ａ）、図９（ｂ）は長さ５Ｔの記録マークを形成する場合の発光パターンを示したものであり、図９（ｃ）は長さ５Ｔの記録マークを形成しようとして長さ４Ｔの記録マークが形成される場合の発光パターンを示したものであり、図９（ｄ）は光ピックアップで記録マークを形成するために必要な発光量を最低限確保できるクーリングパルスの発光限界パルス幅を示したものである。図１０は、本発明の実施の形態３におけるクーリングパルスエッジ移動時のエッジ移動順番とエッジ位置の関係を示す図である。図９において、横軸は時間、縦軸はレーザパワーであり、７１はクーリングパルス、７１ａは立ち上がり部、７１ｂ，７１ｃ，７１ｄはパルス幅、７２は発光限界パルス幅、７３は発光パルス群、７４ａ，７４ｂ，７４ｃは記録マークである。
【００７０】
光ディスク１が光ディスク装置に装着されると、スピンドルモータ３を回転させ、光ピックアップ４のレーザを発光させ、フォーカスサーボ、トラッキングサーボをかけ、ライトストラテジの最適化処理を開始する（Ｓ２１）。ライトストラテジに用いられる１つの記録マークを形成するための発光パルス群は、少なくともピークパワーで発光する第１の発光レベルと、ボトムパワーで発光する第２の発光レベルで構成されている。
【００７１】
本発明のライトストラテジの最適化処理では、まず、コントローラ１３が、第２の発光レベルで発光する発光パルス群のうち、最後尾に位置するクーリングパルス７１を選択する。そして、選択されたクーリングパルス７１から更にクーリングパルス７１の立ち上がり部７１ａを選択する（Ｓ２２）。
【００７２】
その後、コントローラ１３はクーリングパルス７１の立ち上がり部７１ａを時間軸方向に変化させるエッジ移動量をコントローラ１３に備えられたＲＯＭから読み込み設定する（Ｓ２３）。ここで、読み込まれるエッジ移動量は、図１０に示すものである。左側の列はエッジ移動順番を示しており、本実施の形態３においては１、２、３、４、５の順番にエッジ移動が行われるが、これに限定されるものではない。また、右側の列はエッジ位置を示したものであり、本実施の形態１においては基準位置ｅを中心にその前後にそれぞれ−２ｆ、−ｆ、＋ｆ、＋２ｆ移動するものとしたが、これに限定されるものではない。
【００７３】
次に、コントローラ１３は読み込まれたエッジ移動量に基づきクーリングパルス７１の立ち上がり部６１ａが移動して形成されるパルスのパルス幅を決定する（Ｓ２４）。そして、コントローラ１３は決定されたクーリングパルスのパルス幅が光ピックアップで記録マークを形成するために必要な発光量を確保できる発光限界パルス幅未満であるかの確認を行う（Ｓ２５）。このとき、クーリングパルス７１のパルス幅が、図９（ａ）、図９（ｂ）に示すパルス幅７１ｂやパルス幅７１ｃのように、図９（ｄ）に示す光ピックアップで記録マークを形成するために必要な発光量を確保できる発光限界パルス幅６２未満でない場合には、そのままステップ２７（Ｓ２７）へ進む。また、クーリングパルス７１のパルス幅が、図９（ｃ）に示すパルス幅７１ｄのように図９（ｄ）に示す光ピックアップ４で記録マークを形成するために必要な発光量を確保できる発光限界パルス幅７２未満の場合には、ステップ２６（Ｓ２６）へ進み、クーリングパルスのパルス幅を所定のパルス幅に変更する（Ｓ２６）。例えば、本実施の形態３においては、パルス幅が図９（ｃ）に示すパルス幅７１ｄのクーリングパルスである場合には、パルス幅が図９（ｄ）に示すパルス幅７２のクーリングパルスに変更する。このようにすることで、クーリングパルス７１を光ピックアップ４で記録マークを形成するために必要な発光量を確保できる発光限界パルス幅７２以上にすることができ、所望の長さの記録マークを確実に正しく形成することができる。なお、変更されるクーリングパルスのパルス幅はパルス幅７２に限定されるものではない。
【００７４】
次に、コントローラ１３は、ステップ２５（Ｓ２５）、ステップ２６（Ｓ２６）で決定したクーリングパルスを含む発光パルス群７３を光ピックアップ４の発光パターンとしてデジタル信号処理部１１に設定し、試し書き記録を開始する（Ｓ２７）。試し書き記録では、レーザ駆動部１２がデジタル信号処理部１１に設定された発光パターンを基に光ピックアップ４を駆動する。そして、光ピックアップ４は、光ディスク１上の試し書き領域にライトストラテジの最適化処理に必要な記録を行う（Ｓ２７）。
【００７５】
所定のセクタまでの記録が終了すると、デジタル信号処理部１１は記録を停止する。そして、デジタル信号処理部１１は、試し書き記録が行われた光ディスク１上の複数のセクタに対して、光ピックアップ４、アナログ信号処理部８を介してＲＦ信号の測定をして、記録品質の確認を行う（Ｓ２８）。コントローラ１３は、デジタル信号処理部１１の測定結果に基づき、最適発光パターンの決定を行う（Ｓ２９）。
【００７６】
これら一連のライトストラテジの最適化処理が終了すると、記録待機状態となる（Ｓ３０）。
【００７７】
なお、図９においては記録マークの長さが５Ｔの場合の動作について説明したが、用いる光ディスクがＤＶＤの場合には記録マーク長さが３Ｔ〜１１Ｔ，１４Ｔの全てのトップパルス５１に対して上述の動作を行うことが好ましい。また、用いる光ディスクがブルーレイディスクの場合には、記録マーク長さが２Ｔ〜８Ｔ，９Ｔの全てのトップパルス５１に対して上述の動作を行うことが好ましい。
【００７８】
以上の内容により、１つの記録マークを形成するための発光パルス群７３が、少なくともピークパワーで発光する第１の発光レベルと、ボトムパワーで発光する第２の発光レベルで構成され、第２の発光レベルで発光する発光パルス群のうち、最後尾に位置するクーリングパルス７１のパルス幅を決定するライトストラテジの最適化処理において、決定されたクーリングパルス７１のパルス幅が、光ピックアップ４で記録マークを形成するために必要な発光量を最低限確保できる発光限界パルス幅７２未満であるとき、クーリングパルス７１のパルス幅が所定のパルス幅に変更されることによって、クーリングパルス７１のパルス幅が光ピックアップ４で記録マークを形成するために必要な発光量を最低限確保できる発光限界パルス幅７２未満になることを防止することができる。
【００７９】
そのため、長さ２Ｔや３Ｔの短い記録マークを多用するブルーレイ用ディスクなどの高密度記録対応光ディスクに記録する場合であっても、発光パターンにおけるクーリングパルス７１のパルス幅が光ピックアップ４で記録マークを形成するために必要な発光量を最低限確保できる発光限界パルス幅７２未満になることを回避することができ、所望の長さの記録マークを正しく形成することが可能な光ディスク装置の記録方法および光ディスク装置を実現することができる。
【００８０】
なお、本実施の形態３においては、記録マークの長さが５Ｔの場合について説明したが、記録マークの長さは５Ｔの場合に限定されるものではなく、４Ｔや６Ｔの場合でも良い。光ピックアップ４がブルーレイ用ディスクなどの高密度記録対応光ディスク１に対応するものであり、ブルーレイ用ディスクなどの高密度記録対応光ディスクに用いられる長さ２Ｔや３Ｔの短い記録マークを形成するための発光パターンに適用することで、特に顕著な効果を得ることができる。
【００８１】
以上のように、１つの記録マークを形成するパルス群のうち、トップパルスまたはラストパルスまたはクーリングパルス、それぞれのパルス幅に着目し、実施の形態１ではトップパルス、実施の形態２ではラストパルス、実施の形態３ではクーリングパルスの場合について個別に説明してきたが、実施の形態１〜実施の形態３を組み合わせて使用することで、更に所望の長さの記録マークを正しく形成することが可能な光ディスク装置の記録方法および光ディスク装置を実現することができる。
【００８２】
この場合、図２、図５、図８のフローチャートに示す処理が１つのステップの中で同時に行うことが最も好ましい。例えば、図２に示すステップ５（Ｓ５）と図５に示すステップ１５（Ｓ１５）と図８に示すステップ２５（Ｓ２５）を１まとまりのステップとして、また図２に示すステップ６（Ｓ６）と図５に示すステップ１６（Ｓ１６）と図８に示すステップ２６（Ｓ２６）を１まとまりのステップとして、図２、図５、図８に示す処理を同時に行うことが好ましい。
【００８３】
なお、本発明の実施の形態１〜３における記録マークを形成するために必要な発光量を最低限確保できる発光限界パルス幅とは、光ディスク１に到達するレーザパワーが目標とするパワーに到達するのに必要な最低限のパルス幅のことである。ここでは、目標とするパワーは、レーザパワーのピークパワーまたはボトムパワーとなる。
【産業上の利用可能性】
【００８４】
本発明は、１つの記録マークを形成するための発光パルス群のうち、トップパルス幅またはラストパルス幅またはクーリングパルス幅の少なくとも１つが、光ピックアップで記録マークを形成するために必要な発光量を最低限確保できる発光限界パルス幅未満になることを回避することができ、所望の長さの記録マークを正しく形成することが可能なため、光ディスクに情報の記録を行う際の光ディスク装置の記録方法および光ディスク装置などに適応可能である。
【図面の簡単な説明】
【００８５】
【図１】本発明の実施の形態１における光ディスク装置のライトストラテジ制御系のブロック図
【図２】本発明の実施の形態１における光ディスク装置のライトストラテジの最適化処理を示すフローチャート
【図３】本発明の実施の形態１における光ディスク装置の発光波形と記録マークの関係を示す図
【図４】本発明の実施の形態１におけるトップパルスエッジ移動時のエッジ移動順番とエッジ位置の関係を示す図
【図５】本発明の実施の形態２における光ディスク装置のライトストラテジの最適化処理を示すフローチャート
【図６】本発明の実施の形態２における光ディスク装置の発光パターンと記録マークの関係を示す図
【図７】本発明の実施の形態２におけるラストパルスエッジ移動時のエッジ移動順番とエッジ位置の関係を示す図
【図８】本発明の実施の形態３における光ディスク装置のライトストラテジの最適化処理を示すフローチャート
【図９】本発明の実施の形態３における光ディスク装置の発光パターンと記録マークの関係を示す図
【図１０】本発明の実施の形態３におけるクーリングパルスエッジ移動時のエッジ移動順番とエッジ位置の関係を示す図
【図１１】従来の光ディスク装置におけるライトストラテジ制御系のブロック図
【図１２】従来の光ディスク装置における発光パターンと記録マークの関係を示す図
【符号の説明】
【００８６】
１    光ディスク
２    ピックアップモジュール
３    スピンドルモータ
４    光ピックアップ
５    キャリッジ
６    フィード部
７    フィードモータ
８    アナログ信号処理部
９    サーボ処理部
１０    モータ駆動部
１１    デジタル信号処理部
１１ａ    記録パターン生成部
１２    レーザ駆動部
１３    コントローラ
５１    トップパルス
５１ａ    立ち上がり部
５１ｂ，５１ｃ，５１ｄ    パルス幅
５２    発光限界パルス幅
５３    発光パルス群
５４ａ，５４ｂ，５４ｃ    記録マーク
６１    ラストパルス
６１ａ    立ち下がり部
６１ｂ，６１ｃ，６１ｄ    パルス幅
６２    発光限界パルス幅
６３    パルス群
６４ａ，６４ｂ，６４ｃ    記録マーク
７１    クーリングパルス
７１ａ    立ち上がり部
７１ｂ，５１ｃ，５１ｄ    パルス幅
７２    発光限界パルス幅
７３    発光パルス群
７４ａ，７４ｂ，７４ｃ    記録マーク
１０１    トップパルス
１０１ａ    立ち上がり部
１０１ｂ，１０１ｄ    パルス幅
１０２    発光限界パルス幅
１０３    パルス群
１０４ａ，１０４ｃ    記録マーク
【図１】
0004470863.tif 000002
【図２】
0004470863.tif 000003
【図３】
0004470863.tif 000004
【図４】
0004470863.tif 000005
【図５】
0004470863.tif 000006
【図６】
0004470863.tif 000007
【図７】
0004470863.tif 000008
【図８】
0004470863.tif 000009
【図９】
0004470863.tif 000010
【図１０】
0004470863.tif 000011
【図１１】
0004470863.tif 000012
【図１２】
0004470863.tif 000013